(57)【特許請求の範囲】
【請求項１】
広告配信装置と広告表示装置とを備えた電子広告システムであって、  前記広告配信装置は、広告デ−タを登録する広告デ−タ登録手段と、登録された前記広告デ−タを保存する広告デ−タ保存手段と、広告表示スケジュ−ルと前記広告データが表示される予定の時刻に基づくアクセスキ−とを作成するスケジュ−ル及びアクセスキ−作成手段と、時刻情報を出力するタイマ手段と、前記タイマ手段が出力する前記時刻情報を参照しつつ前記広告表示スケジュ−ルに従って前記広告データ及び前記アクセスキ−を前記広告表示装置に配信する配信手段と、広告の閲覧者が有する広告閲覧者通信装置から発信された電話及び電子メ−ルの少なくとも一方を受信可能な受信手段と、を具備し、
前記広告表示装置は、前記配信手段から配信された前記広告デ−タ及び前記アクセスキ−を受信し、そのアクセスキ−が付加された態様で前記広告デ−タを表示する表示手段を具備し、
さらに、前記広告配信装置は、前記タイマ手段が出力する前記時刻情報に基づいて前記表示手段に現在表示されている前記アクセスキ−を判別するとともに、前記受信手段が受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するようになっていることを特徴とする電子広告システム。
【請求項２】
広告配信装置と広告表示装置とを備えた電子広告システム用の広告配信装置であって、
広告デ−タを登録する広告デ−タ登録手段と、登録された前記広告デ−タを保存する広告デ−タ保存手段と、広告表示スケジュ−ルと前記広告データが表示される予定の時刻に基づくアクセスキ−とを作成するスケジュ−ル及びアクセスキ−作成手段と、時刻情報を出力するタイマ手段と、前記タイマ手段が出力する前記時刻情報を参照しつつ前記広告表示スケジュ−ルに従って前記広告データ及び前記アクセスキ−を前記広告表示装置に配信し、前記広告表示装置の表示手段に前記アクセスキーが付加された態様で前記広告データを表示させる配信手段と、広告の閲覧者が有する広告閲覧者通信装置から発信された電話及び電子メ−ルの少なくとも一方を受信可能な受信手段と、を具備し、
前記タイマ手段が出力する前記時刻情報に基づいて前記表示手段に現在表示されている前記アクセスキ−を判別するとともに、前記受信手段が受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するようになっていることを特徴とする広告配信装置。
【請求項３】
広告配信装置と広告表示装置とを備えた電子広告システムにおいて、広告データ登録手段、広告データ保存手段、スケジュール及びアクセスキー作成手段、タイマ手段、配信手段、及び受信手段を備える前記広告配信装置が広告を配信する方法であって、
前記広告データ登録手段が、広告デ−タを登録する広告デ−タ登録ステップと、
前記広告データ保存手段が、登録された前記広告デ−タを保存する広告デ−タ保存ステップと、
前記スケジュール及びアクセスキー作成手段が、広告表示スケジュ−ルと前記広告データが表示される予定の時刻に基づくアクセスキ−とを作成するスケジュ−ル及びアクセスキ−作成ステップと、
前記配信手段が、前記タイマ手段の出力する時刻情報を参照しつつ前記広告表示スケジュ−ルに従って前記広告データ及び前記アクセスキ−を前記広告表示装置に配信し、前記広告表示装置が備える表示手段に前記アクセスキーが付加された態様で前記広告データを表示させる配信ステップと、
前記受信手段が、広告の閲覧者が有する広告閲覧者通信装置から発信された電話及び電子メ−ルの少なくとも一方を受信する受信ステップと、を具備するとともに、
前記スケジュール及びアクセスキー作成手段が、前記タイマ手段の出力する前記時刻情報に基づいて前記表示手段に現在表示されている前記アクセスキ−を判別し、前記受信ステップで受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するステップを具備することを特徴とする広告配信方法。
【請求項４】
広告配信装置と広告表示装置とを備えた電子広告システムにおいて、コンピュータを、前記広告配信装置が備える広告データ登録手段、広告データ保存手段、スケジュール及びアクセスキー作成手段、タイマ手段、配信手段、及び受信手段として機能させるためのプログラムを記録したコンピュータ読み取り可能な記録媒体であって、
前記プログラムは、
前記広告データ登録手段が、広告デ−タを登録する広告データ登録ステップと、
前記広告データ保存手段が、登録された前記広告デ−タを保存する広告デ−タ保存ステップと、
前記スケジュール及びアクセスキー作成手段が、広告表示スケジュ−ルと前記広告データが表示される予定の時刻に基づくアクセスキ−とを作成するスケジュ−ル及びアクセスキ−作成ステップと、
前記配信手段が、前記タイマ手段の出力する時刻情報を参照しつつ前記広告表示スケジュ−ルに従って前記広告データ及び前記アクセスキ−を前記広告表示装置に配信し、前記広告表示装置が備える表示手段に前記アクセスキーが付加された態様で前記広告データを表示させる配信ステップと、
前記受信手段が、広告の閲覧者が有する広告閲覧者通信装置から発信された電話及び電子メ−ルの少なくとも一方を受信する受信ステップと、をコンピュータに実行させるとともに、
前記スケジュール及びアクセスキー作成手段が、前記タイマ手段の出力する前記時刻情報に基づいて前記表示手段に現在表示されている前記アクセスキ−を判別し、前記受信ステップで受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するステップをコンピュータに実行させることを特徴とする記録媒体。
【発明の詳細な説明】
【０００１】
【発明の属する技術分野】
本発明は、電子広告システムに関し、特に、広告閲覧者が、電話や電子メ−ルを介して、広告表示端末との直接的なやりとりを可能とするために有効な技術に関する。
【０００２】
【従来の技術】
通常、広告は、駅や店舗の構内における壁や柱、あるいは電車やバス等の車内等、人々の目につきやすい場所に掲示される。
広告を掲示する手段としては、製作コストの低い広告紙が多く使用されているが、近年、紙以外のブラウン管や液晶等のディスプレイ（以下、広告表示端末と称する）を使用した広告も多々見られるようになった。これら広告表示端末による広告は、記憶装置に記憶され電子化された広告デ−タが広告表示端末に表示されている場合と、ネットワ−クに接続され電子化された広告デ−タがネットワ−ク経由で送信され、広告表示端末に表示されている場合とがある。この方法によると、広告表示を更新する作業の手間を削減させる他、広告表示の展開を素早くでき、常に最先端の広告を表示することが可能となる。そのため、広告閲覧者の広告への関心度を高める効果を有している。
【０００３】
また、広告紙とネットワ−クの世界を結びつける試みとして、電車内に掲示された中吊り広告を、電車を降りた後に再度見たいという要求に対して構築されたシステムがあり、そのシステムでは、広告閲覧者は、インタ−ネットのホ−ムペ−ジにアクセスして、「路線で選ぶ」もしくは「人名で選ぶ」等の方法によって検索することで、再度該当する広告を閲覧することができる。この方法によって、広告閲覧者は、常に関心のある広告を閲覧することが可能となった。
【０００４】
しかしながら、以上の方法はいずれも、広告閲覧者は受動的に広告を見るだけであるため、広告表示を定期的に更新したとしても、広告への注目度を高めるためには限度があった。また、前述の中吊り広告を再度見られるようにしたシステムにおいても、その広告に関心のある広告閲覧者に対しては有効であったが、それ以外のそれほど関心のない広告閲覧者に対しては何ら効果を得られなかった。さらに、広告提供者は、広告閲覧者の広告への関心度を把握するために、定期的なアンケ−ト調査等を実施する必要があった。
【０００５】
そこで、広告への注目度を高める手段の一つとして、広告閲覧者が広告表示端末と直接的にやりとりができるようにする方法、つまり、広告閲覧者の能動的な行為によって、広告表示端末に表示される内容を変更可能とする方法が考えられる。この方法の実現手段として、本発明者等は次の３つの方法を検討している。
第１に、広告表示端末にボタンを取付け、広告閲覧者がボタンを押すことで  広告表示内容が変更できる方法である。
【０００６】
第２に、広告表示端末と無線でやりとりできる専用の携帯端末を広告閲覧者に持たせ、その携帯端末によって広告表示内容が変更できる方法である。
第３に、広告表示端末に電話番号や電子メ−ルアドレスを表示し、広告閲覧者が所有する携帯電話から電話をかけたり、電子メ−ルを出したりすることで、広告表示内容が変更できる方法である。
【０００７】
【発明が解決しようとする課題】
しかしながら、本発明者等が検討したところ、上記第１〜第３の方法には、下記のような問題があることが判った。
まず、第１の方法においては、広告表示される内容を変更させるボタンが、広告表示端末に直接取り付けられているため、その広告表示端末のすぐ近くにいる閲覧者しかボタンを押すことができない。そのため、広告に関心を持ったとしてもわざわざ広告表示端末に近寄ってボタンを押す人は少数であり、結果的に、広告への注目度を高める効果を得ることは困難である。
【０００８】
また、第２の方法においては、広告端末と無線でやりとりできる専用の携帯端末を普及させるのは困難であり、また、コストの面でも問題があるため、実現させることは困難である。
さらに、第３の方法においては、その広告を一度見たことがある閲覧者が、広告表示端末に表示された電話番号や電子メ−ルアドレスを記憶してしまえば、その広告表示端末の近くにいなくても、その広告表示端末を操作できてしまうという問題がある。そのため、広告閲覧者の広告への関心を高める効果はあまり期待できず、さらに、広告表示端末に表示された広告への注目度を正確に把握することは困難である。
【０００９】
本発明は、上記事情に鑑みてなされたものであり、広告表示端末に表示された広告を実際目にしている広告閲覧者のみが、広告表示端末に表示される内容を変更可能とすることで、広告閲覧者の広告への関心を高めるために有効な電子広告システム、この電子広告システムを構成する広告配信装置とその広告配信方法、及び広告配信装置が実行する処理をコンピュータに実行させるためのプログラムを記録した記録媒体を提供することを課題としている。
【００１０】
【課題を解決するための手段】
このような課題を解決するために、請求項１に係る発明は、広告配信装置と広告表示装置とを備えた電子広告システムであって、前記広告配信装置は、広告デ−タを登録する広告デ−タ登録手段と、登録された前記広告デ−タを保存する広告デ−タ保存手段と、広告表示スケジュ−ルと前記広告データが表示される予定の時刻に基づくアクセスキ−とを作成するスケジュ−ル及びアクセスキ−作成手段と、時刻情報を出力するタイマ手段と、前記タイマ手段が出力する前記時刻情報を参照しつつ前記広告表示スケジュ−ルに従って前記広告データ及び前記アクセスキ−を前記広告表示装置に配信する配信手段と、広告の閲覧者が有する広告閲覧者通信装置から発信された電話及び電子メ−ルの少なくとも一方を受信可能な受信手段と、を具備し、前記広告表示装置は、前記配信手段から配信された前記広告デ−タ及び前記アクセスキ−を受信し、そのアクセスキ−が付加された態様で前記広告デ−タを表示する表示手段を具備し、さらに、前記広告配信装置は、前記タイマ手段が出力する前記時刻情報に基づいて前記表示手段に現在表示されている前記アクセスキ−を判別するとともに、前記受信手段が受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するようになっていることを特徴とする電子広告システムとしている。
【００１１】
請求項１に係る発明にあっては、受信手段が受信した電話又は電子メールに、表示手段に現在表示されていると判断されたアクセスキーが含まれていると判断された場合に、広告表示スケジュールが再作成されるようになっているから、現在表示されている広告表示装置を現に目にしている広告閲覧者自身以外の者の行為によって広告表示が変更されてしまう可能性を大幅に低減できる。
【００１２】
請求項２に係る発明は、広告配信装置と広告表示装置とを備えた電子広告システム用の広告配信装置であって、広告デ−タを登録する広告デ−タ登録手段と、登録された前記広告デ−タを保存する広告デ−タ保存手段と、広告表示スケジュ−ルと前記広告データが表示される予定の時刻に基づくアクセスキ−とを作成するスケジュ−ル及びアクセスキ−作成手段と、時刻情報を出力するタイマ手段と、前記タイマ手段が出力する前記時刻情報を参照しつつ前記広告表示スケジュ−ルに従って前記広告データ及び前記アクセスキ−を前記広告表示装置に配信し、前記広告表示装置の表示手段に前記アクセスキーが付加された態様で前記広告データを表示させる配信手段と、広告の閲覧者が有する広告閲覧者通信装置から発信された電話及び電子メ−ルの少なくとも一方を受信可能な受信手段と、を具備し、前記タイマ手段が出力する前記時刻情報に基づいて前記表示手段に現在表示されている前記アクセスキ−を判別するとともに、前記受信手段が受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するようになっていることを特徴とする広告配信装置としている。
【００１３】
請求項２に係る発明にあっては、請求項１に係る本発明の電子広告システムを容易且つ確実に実現できる。
請求項３に係る発明は、広告配信装置と広告表示装置とを備えた電子広告システムにおいて、広告データ登録手段、広告データ保存手段、スケジュール及びアクセスキー作成手段、タイマ手段、配信手段、及び受信手段を備える前記広告配信装置が広告を配信する方法であって、前記広告データ登録手段が、広告デ−タを登録する広告デ−タ登録ステップと、前記広告データ保存手段が、登録された前記広告デ−タを保存する広告デ−タ保存ステップと、前記スケジュール及びアクセスキー作成手段が、広告表示スケジュ−ルと前記広告データが表示される予定の時刻に基づくアクセスキ−とを作成するスケジュ−ル及びアクセスキ−作成ステップと、前記配信手段が、前記タイマ手段の出力する時刻情報を参照しつつ前記広告表示スケジュ−ルに従って前記広告データ及び前記アクセスキ−を前記広告表示装置に配信し、前記広告表示装置が備える表示手段に前記アクセスキーが付加された態様で前記広告データを表示させる配信ステップと、前記受信手段が、広告の閲覧者が有する広告閲覧者通信装置から発信された電話及び電子メ−ルの少なくとも一方を受信する受信ステップと、を具備するとともに、前記スケジュール及びアクセスキー作成手段が、前記タイマ手段の出力する前記時刻情報に基づいて前記表示手段に現在表示されている前記アクセスキ−を判別し、前記受信ステップで受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するステップを具備することを特徴とする広告配信方法としている。
請求項３に係る発明にあっては、請求項１に係る本発明の電子広告システムを容易且つ確実に実現できる。
請求項４に係る発明は、広告配信装置と広告表示装置とを備えた電子広告システムにおいて、コンピュータを、前記広告配信装置が備える広告データ登録手段、広告データ保存手段、スケジュール及びアクセスキー作成手段、タイマ手段、配信手段、及び受信手段として機能させるためのプログラムを記録したコンピュータ読み取り可能な記録媒体であって、前記プログラムは、前記広告データ登録手段が、広告デ−タを登録する広告データ登録ステップと、前記広告データ保存手段が、登録された前記広告デ−タを保存する広告デ−タ保存ステップと、前記スケジュール及びアクセスキー作成手段が、広告表示スケジュ−ルと前記広告データが表示される予定の時刻に基づくアクセスキ−とを作成するスケジュ−ル及びアクセスキ−作成ステップと、前記配信手段が、前記タイマ手段の出力する時刻情報を参照しつつ前記広告表示スケジュ−ルに従って前記広告データ及び前記アクセスキ−を前記広告表示装置に配信し、前記広告表示装置が備える表示手段に前記アクセスキーが付加された態様で前記広告データを表示させる配信ステップと、前記受信手段が、広告の閲覧者が有する広告閲覧者通信装置から発信された電話及び電子メ−ルの少なくとも一方を受信する受信ステップと、をコンピュータに実行させるとともに、前記スケジュール及びアクセスキー作成手段が、前記タイマ手段の出力する前記時刻情報に基づいて前記表示手段に現在表示されている前記アクセスキ−を判別し、前記受信ステップで受信した前記広告閲覧者通信装置発信の電話又は電子メ−ルに前記判別された現在表示されている前記アクセスキ−が含まれていると判断した場合には、前記広告データの表示ルールに従って、前記広告表示スケジュ−ルを再作成するステップをコンピュータに実行させることを特徴とする記録媒体としている。
請求項４に係る発明にあっては、請求項１に係る本発明の電子広告システムを容易且つ確実に実現できる。
【００１４】
【発明の実施の形態】
以下、本発明の一実施の形態について図面を参照して説明する。
図１は、本発明における電子広告システムの全体構成を示す図である。図２は、スケジュ−ル及びアクセスキ−の作成部の動作の一例を示すフロ−チャ−トである。図３は、アクセスキ−情報を表示する一例を示す図である。図４は、広告表示スケジュ−ルの再編成の一例を示す図である。
【００１５】
本発明の電子広告システム１は、図１に示すように、広告を配信する配信装置１００と、配信された広告を受信して表示するための広告表示装置２００とから構成されていて、広告の閲覧者が所有する広告閲覧者携帯電話３００とともに、本実施形態を構成している。
配信装置１００は、実際にはコンピュータ内において、記録媒体に記録されたソフトウェアによって実現されていて、機能的には、各々の広告の特徴を表す情報を広告データに埋め込むための広告データ登録部１０１と、該広告データを保持するための広告データベース１０６と、広告データを配信するための広告表示スケジュールを作成し、且つ、実際に広告表示端末２００を目にしている広告閲覧者からの電話又は電子メールによるアクセスかどうかを認識するためのアクセスキーを作成するスケジュール及びアクセスキー作成部１０２と、作成された広告表示スケジュールに応じて広告を配信する配信部１０３と、時刻情報を出力しているタイマ１０７と、広告閲覧者からの電話を受信する電話受信部１０４と、広告閲覧者からの電子メールを受信する電子メール受信部１０５と、を有している。
【００１６】
ここで、広告デ−タは、広告表示装置２００の表示部２０１に表示される画像デ−タであるコンテンツデ−タと、広告表示スケジュ−ル作成や広告閲覧者からのアクセスがあった場合に広告デ−タを認識するための情報デ−タとから構成されている。このうち、情報デ−タには、コンテンツＩＤの他、広告の特徴を表す属性情報や、広告デ−タを表示するための表示ル−ルが含有されている。
【００１７】
また、広告表示装置２００は、広告デ−タを表示する表示部２０１から構成され、配信装置１００の配信部１０３から配信された広告デ−タを受信して、表示部２０１に表示している。
さらに、広告閲覧者携帯電話３００は、電子メ−ルを発信する電子メ−ル発信部３０１と、電話を発信する電話発信部３０２と、から構成され、広告表示装置２００に表示される電話番号及び電子メ−ルアドレスに対して、電話及び電子メ−ルの送信を行うことができる。
【００１８】
ここで、電子広告システム１の動作について説明する。
まず、配信装置１００の広告登録デ−タ部１０１に、広告デ−タを登録したのち、該広告デ−タを広告デ−タベ−ス１０６に保存しておく。
次に、図２に示すように、スケジュ−ル及びアクセスキ−作成部１０２において、広告表示装置２００に広告デ−タを配信するための広告表示スケジュ−ルと時刻に基づくアクセスキ−を作成する（ステップＳ１）。広告表示スケジュ−ルを作成する方法としては、登録されている複数の広告デ−タを単純に一定間隔でロ−テ−ションする方法や、配信時間帯や配信回数を保証する広告と保証しない広告とを組み込む方法等が挙げられる。後者の方法の場合、広告デ−タ内の情報デ−タのうち属性情報が利用される。また、アクセスキ−は、広告デ−タが表示される予定の時刻に基づいて、例えば数字等を組み合わせて作成される。
【００１９】
次いで、電話や電子メ−ルの着信内容について、後述のような判断を行った後（ステップＳ２）、タイマ１０７から出力される時間を参照し（ステップＳ３）、作成した広告表示スケジュ−ルに従って、表示する広告デ−タを配信部１０３に送信する。その際に、表示する広告デ−タ中に、アクセスキ−が表示されるように画像合成加工が行われる。
【００２０】
その後、広告表示スケジュ−ルに従って、表示される広告デ−タは、配信装置１００の配信部１０３から、広告表示装置２００に送信され、表示部２０１で、広告デ−タが表示される。このとき、図３に示すように、広告の画像デ−タとともに、「あなたのアクセスで画面が変わる！」等のキャッチフレ−ズ、アクセスに必要な電話番号及び電子メ−ルアドレス、及びアクセスキ−が付加された態様で広告が表示される（ステップＳ４）。ここで、ステップＳ４の処理を終えたら、ステップＳ２に戻るようになっている。また、ステップＳ２の判断が「ＹＥＳ」の場合にはステップＳ１に戻り、ステップＳ３の判断が「ＮＯ」の場合には、ステップＳ２に戻るようになっている。
【００２１】
ここで、広告表示装置２００に表示された広告を実際目にしている広告閲覧者は、広告閲覧者携帯電話３００を使用して、広告デ−タに表示された電話番号及び電子メ−ルアドレスにアクセスすることができる。この際、広告閲覧者携帯電話３００の電話発信部３０２から、公衆網を通じて、発信装置１００の電話受信部１０４にアクセスすると、「アクセスキ−を入力してください」等の音声ガイダンスに従ってタッチト−ンによるアクセスキ−の入力を求められる。もしくは、アクセスキ−を埋め込んだ電子メ−ルを広告閲覧者自身が作成し、広告閲覧者携帯電話３００の電子メ−ル発信部３０１から、インタ−ネットを経由して、配信装置１００のメ−ル受信部１０５にアクセスする。
【００２２】
その後、広告閲覧者からの電話及び電子メ−ルを受信した配信装置１００の電話受信部１０４及び電子メ−ル受信部１０５では、スケジュ−ル及びアクセスキ−作成部１０２に受信した情報の通知を行う。そして、該通知を受けたスケジュ−ル及びアクセスキ−作成部１０２では、広告表示装置２００に現在表示されているアクセスキ−であるかどうかの判別が行われる（ステップＳ２）。ここで、正当なアクセスキ−を伴った着信であった場合には、ステップＳ１に戻り、スケジュ−ル及びアクセスキ−作成部１０２において、広告表示スケジュ−ルの再作成が行われ、広告表示装置２００に表示される広告デ−タの変更がなされる。一方、不当なアクセスキ−を伴った着信であった場合には、その着信は無視され、ステップＳ３に移行するから、広告表示スケジュ−ルの変更はなされず、広告表示装置２００には、従来の広告表示スケジュ−ルに従った広告デ−タの表示が行われる。ここで、アクセスキ−の入力とともに、年齢層、性別等広告閲覧者の簡単な個人情報を入力させるようにすれば、広告提供者が広告への関心度をより定量的に把握するために有効である。
【００２３】
ここで、広告表示スケジュ−ルの再作成は、広告デ−タの情報デ−タにおける表示ル−ルに従って行われる。そのル−ルの一番単純な例として、アクセスによって、次に表示されるコンテンツＩＤを指定し、広告閲覧者が希望する広告デ−タを表示できるようにするものが挙げられる。また、他のル−ルとして、アクセスによって、複数のコンテンツＩＤからランダムに選択された広告デ−タが表示されるものや、ある一定の確率で選択された広告デ−タが表示されるもの等が挙げられる。さらに、図４に示すように、広告表示端末にＡという広告デ−タ１０を表示中に広告閲覧者からのアクセスがあった場合、Ａという広告デ−タ１０の別バ−ジョンであるＡ´という広告デ−タ１０を表示するというル−ルも挙げられる。さらに、スケジュ−ルの再作成を開始するためのル−ルとして、一人のアクセスで広告表示スケジュ−ルの再作成が行われるとしてもよいし、ある一定の人数のアクセスがあった場合に再作成が行われるとしてもよい。
【００２４】
このように、本発明における電子広告システム１における配信装置１００に、電話受信部１０４及び電子メ−ル受信部１０５を具備し、広告閲覧者の能動的な行為により、表示される広告デ−タ１０を変更可能とする広告閲覧者参加型の広告システムとしたことによって、従来の広告掲示方法と比較して目新しいため、広告閲覧者の広告への関心を高める効果が期待できる。
【００２５】
また、広告デ−タ１０を表示する予定の時刻をもとに形成するアクセスキ−を具備したことによって、広告表示装置２００を実際目にしている広告閲覧者のみが、広告デ−タ１０の表示を変更することが可能となった。このため、このようなシステムに関心を持つ広告閲覧者が広告表示装置２００の設置位置まで出向いてくることが期待でき、広告への関心を高める効果が期待できる。また、広告提供者にとっても、広告閲覧者の広告への注目度を定量的に分析するためにも有効である。
【００２６】
さらに、広告表示装置２００に表示される広告デ−タ１０を変更させるために、広告閲覧者が所有する広告閲覧者携帯電話３００という広告閲覧者通信装置を利用したことによって、広告閲覧者が容易且つ気軽に広告表示装置２００とやりとりすることを可能としている。このため、広告閲覧者の広告への関心を高める効果が期待できる。
【００２７】
さらに、広告閲覧者のアクセスに対して、商品の値引きや景品を与える等のノベルティを付与することで、広告への関心をさらに高める効果が期待できる。
なお、広告表示装置２００は、複数の広告表示装置２００をネットワ−クを介して接続して、本システム１を構成しても構わない。この際、アクセスキ−は表示される広告デ−タ１０の時刻に基づいて、且つ、各々の広告表示装置２００別に異なるように作成される必要がある。
【００２８】
さらに、広告閲覧者通信装置は、配信装置１００へのアクセスを行うことが可能であれば、広告閲覧者携帯電話３００に限らず、パーソナルハンディフォンシステム、公衆電話、ノートパソコン等いずれの手段を用いても構わない。
さらに、広告表示スケジュール及びアクセスキーの作成方法やアクセスキーの表示内容、及び広告データ１０を表示する表示ルールは、本実施の形態に限らない。
ここで、本実施の形態においては、配信装置１００が広告配信装置に対応し、広告データ登録部１０１が広告データ登録手段に対応し、広告データベース１０６が広告データ保存手段に対応し、スケジュール及びアクセスキー作成部１０２がスケジュール及びアクセスキー作成手段に対応し、配信部１０３が配信手段に対応し、電話受信部１０４及び電子メール受信部１０５が受信手段に対応し、表示部２０１が表示手段に対応する。
【００２９】
【発明の効果】
以上説明したように、本発明によれば、現に広告を見ている広告閲覧者自身以外の者の行為によって広告表示が変更される可能性を大幅に低減することができるから、広告表示装置との直接的なやりとりを可能とするシステムとして、望ましいという効果がある。
【図面の簡単な説明】
【図１】  本発明における電子広告システムの一例を示すブロック構成図である。
【図２】  スケジュ−ル及びアクセスキ−の作成部の動作の一例を示すフロ−チャ−トである。
【図３】アクセスキ−の情報表示の一例を示す図である。
【図４】広告表示スケジュ−ルの再編成の一例を示す図である。
【符号の説明】
１        電子広告システム
１０      広告デ−タ
１００    広告配信装置
１０１    広告デ−タ登録部
１０２    スケジュ−ル及びアクセスキ−作成部
１０３    配信部
１０４    電話受信部
１０５    電子メ−ル受信部
１０６    広告保持部
１０７    タイマ
２００    広告表示装置
２０１    表示部
３００    広告閲覧者通信装置
３０１    電話発信部
３０２    電子メ−ル発信部
【図１】
0003676665.tif 000002
【図２】
0003676665.tif 000003
【図３】
0003676665.tif 000004
【図４】
0003676665.tif 000005